(57)【要約】【課題】ユーザがより有益な特典を受けられる施設を案内可能な施設検索装置およびプログラムを提供する。【解決手段】施設検索装置は、施設を検索し（Ｓ１０１）、施設にてユーザが受けられる特典に関する特典情報を取得する（Ｓ１０３）。また、ユーザの地元エリアに関する地元エリア情報を取得する（Ｓ１０４）。そして、特典情報および地元エリア情報に基づき、検索された施設を分類し（Ｓ１０８、Ｓ１０９、Ｓ１１１〜Ｓ１１３）、分類結果を出力する（Ｓ１１４）。ユーザの地元エリアで特典を受けられるかを考慮し、検索された施設を適切に分類して出力するので、ユーザがより有益な特典を受けられる施設を案内することができる。また、ユーザが検索された施設を選択する際の一助とすることができる。【選択図】  図３
2011210096.tif 000002
【特許請求の範囲】
【請求項１】
施設を検索する施設検索手段と、
前記施設にてユーザが受けられる特典に関する特典情報を取得する特典情報取得手段と、
前記ユーザの地元エリアに関する地元エリア情報を取得する地元エリア情報取得手段と、
前記特典情報および前記地元エリアに基づき、前記施設検索手段により検索された施設を分類する分類手段と、
前記分類手段による分類結果を出力する出力手段と、
を備えることを特徴とする施設検索装置。
【請求項２】
前記特典情報および前記地元エリア情報に基づき、前記地元エリアにて前記特典を受けられるか否かを前記検索された施設ごとに特定する地元利用可否特定手段を備え、
前記分類手段は、前記地元利用可否特定手段の特定結果に基づき、前記地元エリアにて前記特典を受けられると特定された施設を地元利用可能グループに分類することを特徴とする請求項１に記載の施設検索装置。
【請求項３】
前記特典情報に基づき、前記検索された施設を訪問時に前記特典を受けられるか否かを前記検索された施設ごとに特定する即時利用可否特定手段を備え、
前記分類手段は、前記即時利用可否特定手段の特定結果に基づき、訪問時に前記特典を受けられると特定された施設を即時利用可能グループに分類することを特徴とする請求項１または２に記載の施設検索装置。
【請求項４】
前記出力手段は、前記即時利用可能グループまたは前記地元利用可能グループに分類された施設を他の前記検索された施設よりも優先度を高くして前記分類結果を出力することを特徴とする請求項３に記載の施設検索装置。
【請求項５】
前記出力手段は、前記即時利用可能グループ、前記地元利用可能グループの順に優先度を設定し、当該優先度に基づいて前記分類結果を出力することを特徴とする請求項４に記載の施設検索装置。
【請求項６】
前記出力手段は、前記即時利用可能グループに分類された施設のうち、前記地元利用可能グループにも分類された施設の優先度を最も高く設定し、当該優先度に基づいて前記分類結果を出力することを特徴とする請求項５に記載の施設検索装置。
【請求項７】
施設を検索する施設検索手段、
前記施設にてユーザが受けられる特典に関する特典情報を取得する特典情報取得手段、
前記ユーザの地元エリアに関する地元エリア情報を取得する地元エリア情報取得手段、
前記特典情報および前記地元エリアに基づき、前記施設検索手段により検索された施設を分類する分類手段、
および、前記分類手段による分類結果を出力する出力手段、
としてコンピュータを機能させるプログラム。
【発明の詳細な説明】
【技術分野】
【０００１】
本発明は、施設検索装置及びプログラムに関する。
【背景技術】
【０００２】
従来、目的地への経路を案内するナビゲーション装置が知られている。また、クーポンを使える施設を検索可能なシステムも公知である。例えば、特許文献１では、番組で放送された施設等への経路を生成し、経路周辺の店舗で使用可能なクーポン情報を収集し、ＩＣカードなどのリムーバブルメディアに記録し店舗でクーポンを使用する環境を提供する情報処理システムが提案されている。
【先行技術文献】
【特許文献】
【０００３】
【特許文献１】特開２００９−１８７５７７号公報
【発明の概要】
【発明が解決しようとする課題】
【０００４】
ところで、クーポンには発行元の施設ごとに様々な利用条件がある。しかしながら、特許文献１では、入手しようとするクーポンの利用条件までを考慮したシステムとはなっていなかった。すなわち特許文献１では、施設ごとに提示されたクーポンのうち、ユーザにとって有益なクーポンがどのクーポンであるかを判断することができなかった。
本発明は、上述の課題に鑑みてなされたものであり、その目的は、ユーザがより有益な特典を受けられる施設を案内可能な施設検索装置およびプログラムを提供することにある。
【課題を解決するための手段】
【０００５】
請求項１に記載の施設検索装置は、施設を検索する施設検索手段と、施設にてユーザが受けられる特典に関する特典情報を取得する特典情報取得手段と、ユーザの地元エリアに関する地元エリア情報を取得する地元エリア情報取得手段と、特典情報および地元エリアに基づき、施設検索手段により検索された施設を分類する分類手段と、分類手段による分類結果を出力する出力手段と、を備える。これにより、ユーザの地元エリアで特典を受けられるかを考慮し、検索された施設を適切に分類して出力するので、ユーザがより有益な特典を受けられる施設を案内することができる。また、ユーザが検索された施設を選択する際の一助とすることができる。
【０００６】
具体的には、以下の構成が採用される。
請求項２に記載の発明では、施設検索装置は、特典情報および地元エリア情報に基づき、地元エリアにて特典を受けられるか否かを検索された施設ごとに特定する地元利用可否特定手段を備える。分類手段は、地元利用可否特定手段の特定結果に基づき、地元エリアにて特典を受けられると特定された施設を地元利用可能グループに分類する。これにより、地元エリアにて特典を受けられる施設を適切に分類して出力するので、ユーザがより有益な特典を受けられる施設を案内することができ、ユーザが検索された施設を選択する際の一助とすることができる。
【０００７】
請求項３に記載の発明では、施設検索装置は、施設を訪問時に特典を受けられるか否かを検索された施設ごとに特定する即時利用可否特定手段を備える。また、分類手段は、即時利用可否特定手段の特定結果に基づき、訪問時に特典を受けられると特定された施設を即時利用可能グループに分類する。これにより、訪問時に特典を受けられる施設を適切に分類して出力するので、ユーザがより有益な特典を受けられる施設を案内することができ、ユーザが検索された施設を選択する際の一助とすることができる。
【０００８】
請求項４に記載の発明では、出力手段は、即時利用可能グループまたは地元利用可能グループに分類された施設を他の施設よりも優先度を高くして分類結果を出力する。また、請求項５に記載の発明では、出力手段は、即時利用可能グループ、地元利用可能グループの順に優先度を設定し、当該優先度に基づいて分類結果を出力する。さらにまた、請求項６に記載の発明では、出力手段は、即時利用可能グループに分類された施設のうち、地元利用可能グループにも分類された施設の優先度を最も高く設定し、当該優先度に基づいて分類結果を出力する。これにより、ユーザが比較的特典を利用しやすい施設の優先度を高めて出力することができるので、利便性が向上する。
【０００９】
以上、施設検索装置の発明として説明してきたが、次に示すようなプログラムの発明として実現することもできる。
すなわち、施設を検索する施設検索手段、施設にてユーザが受けられる特典に関する特典情報を取得する特典情報取得手段、ユーザの地元エリアに関する地元エリア情報を取得する地元エリア情報取得手段、特典情報および地元エリアに基づき、施設検索手段により検索された施設を分類する分類手段、および、分類手段による分類結果を出力する出力手段、としてコンピュータを機能させるプログラムである。このようなプログラムを実行することで、上述の施設検索装置と同様の効果が奏される。
【図面の簡単な説明】
【００１０】
【図１】本発明の一実施形態による施設検索装置の構成を示すブロック図である。
【図２】本発明の一実施形態による特典情報データベースを説明する説明図である。
【図３】本発明の一実施形態による分類処理を説明するフローチャートである。
【図４】本発明の一実施形態によるリスト表示の画面イメージを説明する説明図である。
【発明を実施するための形態】
【００１１】
以下、本発明による施設検索装置を図面に基づいて説明する。
（一実施形態）
図１は、本発明の一実施形態による施設検索装置としての車載器１の全体構成を示すブロック図である。車載器１は、制御部１０を中心に構成されており、制御部１０に接続される位置検出器２０、地図情報記憶部３０、操作スイッチ群４０、描画部６０、音声出力部７０、特典情報記憶部８０等を備えている。
【００１２】
制御部１０は、通常のコンピュータとして構成されている。制御部１０の内部には、ＣＰＵ、ＲＯＭ、Ｉ／Ｏ、および、これらの構成を接続するバスラインなどが備えられている。
位置検出器２０は、いずれも周知の地磁気センサ２１、ジャイロスコープ２２、距離センサ２３、および、衛星からの電波を受信するＧＰＳ（Ｇｌｏｂａｌ  Ｐｏｓｉｔｉｏｎｉｎｇ  Ｓｙｓｔｅｍ）受信機２４等を有している。これらのセンサ２１〜２４は、各々が性質の異なる誤差を持っているため、相互に補完しながら使用される。
【００１３】
地図情報記憶部３０は、例えばハードディスク装置（ＨＤＤ）として実現される記憶装置である。なお、本実施形態ではＨＤＤを用いたが、ＤＶＤ−ＲＯＭや、メモリカード等の他の媒体を用いても差し支えない。地図情報記憶部３０は、位置検出の精度向上のためのいわゆるマップマッチング用データおよび経路を探索するための地図情報を記憶している。
【００１４】
また地図情報には、施設に関する施設情報が含まれる。施設情報は、具体的には施設
を特定するＩＤと関連付けられて記憶されているＰＯＩ（Ｐｏｉｎｔ  Ｏｆ  Ｉｎｔｅｒ
ｅｓｔ）情報である。ＰＯＩ情報には、施設名称、施設ＩＤ、位置座標、種別（ジャンル
）を示す情報などが含まれる。
【００１５】
操作スイッチ群４０は、ディスプレイ６１と一体になったタッチスイッチもしくはメカニカルなスイッチやリモコン装置等で構成され、各種入力に使用される。
描画部６０には、ディスプレイ６１が接続されている。ディスプレイ６１は、液晶やＣＲＴを用いたカラーディスプレイである。このディスプレイ６１を介して情報表示が行われる。
音声出力部７０には、スピーカ７１が接続されている。スピーカ７１を介して音声による案内が行われる。
【００１６】
特典情報記憶部８０は、店舗等の施設において、ユーザが受けられる特典に関する特典情報を記憶するものであり、地図情報記憶部３０と同一のＨＤＤで構成されている。もちろん、メモリカード等の他の媒体を用いてもよい。「特典」とは、ユーザが施設等を訪問し、例えば所謂クーポン等を利用することにより受けられる割引等のサービスをいう。「クーポンを利用する」とは、クーポン券を提示する、クーポン画面が表示された携帯電話を提示する、「ホームページを見ました」等のキーワードを言う、パスワードを入力する、等である。以下、適宜「ユーザがクーポンを利用することにより特典を受けること」を単に「クーポンを利用する」という。
【００１７】
特典情報記憶部８０には、特典情報データベースが記憶されている。特典情報データベースには、地図情報記憶部３０に記憶されているＰＯＩ情報と同様の施設に関する施設情報と、当該施設にてユーザが付加的に受けられる特典に関する特典情報とが関連付けて記憶されている。特典情報データベースは、例えば１ヶ月ごとといった具合に比較的短い期間で更新される。特典情報データベースは、図示しない情報センタ等から情報を取得することにより更新される。なお、特典情報データベースは、比較的頻繁に更新されるものであるので、特典情報データベースには、地図情報記憶部３０に記憶されている施設のうち、主にユーザが金銭を支払いその対価としてサービスを受ける施設（以下、「サービス施設」という。）に対応する種別の施設のみが選択的に記憶されるように構成してもよい。なお、サービス施設に対応する種別としては、飲食店、小売店、美容院、映画館、美術館、遊園地、宿泊施設等が例示される。また、サービス施設ではない施設、例えば図書館、学校、駅等は、特典情報データベースから除外してもよい。なお、本実施形態では、施設情報と特典情報とが関連付けて特典情報データベースとして記憶されているが、特典情報データベースにおける特典情報と関連付けられる施設情報は、施設ＩＤのみであってもよい。特典情報と関連付けられる施設情報を施設ＩＤのみとすることにより、特典情報データベースのデータ量を抑えることができる。
【００１８】
ここで、特典情報データベースを図２に基づいて説明する。特典情報データベースには、サービス施設について、地図情報記憶部３０に記憶されているＰＯＩ情報と同様の施設名称、施設ＩＤ、位置座標、種別を示す情報が関連付けて記憶されているが、図２においては、施設名称のみを図示しており、施設ＩＤ、位置座標、種別を示す情報については省略した。特典情報データベースでは、利用可能なクーポンがある施設に対し、クーポンフラグがセットされている。なお、本実施形態では、利用可能なクーポンがある施設に対し、クーポンフラグがセットされているが、これに替えて、利用可能なクーポンがない施設に対し、クーポン無しフラグがセットされるように構成してもよい。
【００１９】
ところで、クーポンには、それぞれ異なる利用条件が設定されており、施設を訪問時にすぐに特典を受けられる場合とすぐに特典を受けられない場合とがある。施設を訪問時にすぐに特典を受けられる場合とは、サービス施設が飲食店である場合、当該サービス施設を訪問して飲食したときの会計の５％ＯＦＦや、ドリンクやデザート等が無料になる場合であるが例示される。またサービス施設が映画館等である場合、割引料金で入場できる場合が例示される。このように、訪問時にすぐに特典を受けられる施設に対し、即時フラグがセットされている。
【００２０】
一方、施設を訪問時にすぐに特典を受けられない場合とは、例えばサービス施設が飲食店である場合、当該サービス施設を訪問して飲食したときの会計時にクーポンが配布され、次回来店時１０％ＯＦＦや、３枚集めると牛丼１杯無料等になる場合等である。また例えばサービス施設が映画館等である場合、チケットの半券を提示することにより周辺施設を割引料金で利用できる場合等である。このような訪問時にすぐに特典を受けられない施設に対しては、即時フラグがセットされていない。
【００２１】
また、クーポンには、例えば発行元の店舗に限り使用可能なものや、その他にも例えば全国に広くチェーン展開している店舗であれば、他のエリアの同一チェーン店でも使用可能なものがある。そこで、特典情報データベースには、クーポンを利用可能なエリア（以下、「有効エリア」という。）を示す有効エリア情報がサービス施設と関連付けて記憶されている。本実施形態では、有効エリアは、都道府県で特定される。さらに、特典情報データベースには、クーポンの有効期限に関する有効期限情報、および、クーポンを利用することにより受けられるサービス内容（例えば５％ＯＦＦ、ドリンクサービス等）に関するサービス情報がサービス施設と関連付けて記憶されている。
【００２２】
例えば、施設Ｇにおいて、会計時に提示することにより５％ＯＦＦとなるクーポンがある場合、施設Ｇには、クーポンフラグおよび即時フラグがセットされている。また、施設Ｇには、有効エリア「全国」、有効期限「２０１０．０４．３０」、サービス情報「会計時に５％ＯＦＦ」が関連付けて記憶されている。
【００２３】
また例えば施設Ｈでは、施設Ｈで飲食をした後、会計時に次回利用できるワンドリンクサービスのクーポンを配布している場合、施設Ｈでは訪問時にすぐに特典を受けることができない。したがって、施設Ｈには、クーポンフラグがセットされ、即時フラグはセットされていない。また、施設Ｈには、有効エリア「東京、愛知」、有効期限「２０１０．４．３０」、サービス情報「ワンドリンクサービス」が関連付けて記憶されている。
【００２４】
さらに例えば施設Ｊにおいて利用できるクーポンがない場合、施設Ｊには、クーポンフラグおよび即時フラグがセットされていない。また、有効エリア情報、有効期限、サービス情報が記憶されていない、といった具合である。
【００２５】
なお、図２に示す例では、１つの施設において利用できるクーポンが１種類である場合を例に説明しているが、１つの施設において利用できるクーポンが複数ある場合、クーポンごとに即時フラグ、有効エリア情報、有効期限情報、およびサービス情報が施設と関連付けて記憶されている。
また、特典情報記憶部８０には、操作スイッチ群４０を介した入力情報に基づいて施設が検索されたときに作成されるリストが記憶される。
【００２６】
本実施形態では、特典情報に基づき、すぐに特典を受けられる施設、地元エリアにて特典を受けられる施設等を分類して出力する点に特徴を有している。そこで、図３に示すフローチャートに基づいて分類処理を説明する。
【００２７】
初めのステップＳ１０１（以下、「ステップ」を省略し、単に記号「Ｓ」で示す。）では、ユーザが操作スイッチ群４０を操作することにより、ジャンル、名称等の情報が入力され、入力された情報に基づき、施設が検索される。本実施形態では、車両の現在位置を示す現在位置情報に基づき、車両の現在位置から所定範囲内、例えば車両の現在位置を中心とする半径１０ｋｍ以内、の施設を検索する。
【００２８】
Ｓ１０２では、Ｓ１０１で検索された施設のリストを作成し、特典情報記憶部８０に記憶する。
Ｓ１０３では、特典情報データベースを参照し、Ｓ１０２で作成されたリストにおいて、特典情報を施設ごとに付加する。
Ｓ１０４では、ユーザの地元エリアに関する地元エリア情報を取得する。本実施形態では、車載器１内において、ユーザの自宅が予め登録されているものとし、自宅として登録されている地点が含まれる都道府県を「地元エリア」とする。
【００２９】
Ｓ１０５〜Ｓ１１３の分類処理は、Ｓ１０２で作成されたリストに含まれる施設ごとに行われる。ここでは、Ｓ１０２で作成されたリストに含まれる施設の１つである施設Ｘを例にＳ１０５〜Ｓ１１３の処理を説明する。
【００３０】
Ｓ１０５では、施設Ｘにて利用可能なクーポンがあるか否かを判断する。ここでの判断は、特典情報の付加されたリストを参照し、施設Ｘにクーポンフラグがセットされているか否かに基づいて判断する。施設Ｘにて利用可能なクーポンがないと判断された場合（Ｓ１０５：ＮＯ）、すなわちクーポンフラグがセットされていない場合、Ｓ１１３へ移行する。施設Ｘにて利用可能なクーポンがあると判断された場合（Ｓ１０５：ＹＥＳ）、すなわちクーポンフラグがセットされている場合、Ｓ１０６へ移行する。
【００３１】
Ｓ１０６では、施設Ｘを訪問時にすぐに特典を受けられるか否かを判断する。ここでの判断は、特典情報の付加されたリストを参照し、即時フラグがセットされているか否かに基づいて判断する。施設Ｘを訪問時にすぐに特典を受けられないと判断された場合（Ｓ１０６：ＮＯ）、すなわち即時フラグがセットされていない場合、Ｓ１１０へ移行する。施設Ｘを訪問時にすぐに特典を受けられると判断された場合（Ｓ１０６：ＹＥＳ）、すなわち即時フラグがセットされている場合、Ｓ１０７へ移行する。
【００３２】
Ｓ１０７では、施設Ｘのクーポンを地元エリアで利用できるか否かを判断する。本実施形態では、Ｓ１０４で特定された地元エリアと施設Ｘに関連付けられている有効エリア情報とに基づき、クーポンを地元エリアで利用できるか否かを判断する。施設Ｘのクーポンを地元エリアで利用できないと判断された場合（Ｓ１０７：ＮＯ）、Ｓ１０９へ移行する。施設Ｘのクーポンを地元エリアで利用できると判断された場合（Ｓ１０７：ＹＥＳ）、Ｓ１０８へ移行する。
Ｓ１０８では、施設ＸをグループＡに分類する。
Ｓ１０９では、施設ＸをグループＢに分類する。
【００３３】
ところで例えば旅行先等、ユーザの地元エリア以外の一時的に滞在するエリアで利用した施設において、すぐに特典を受けられないクーポンを入手したとしても、当該クーポンをユーザの地元エリアで利用できなければ、ユーザは特典を受けられない可能性がある。そこで、施設Ｘを訪問時にすぐ特典を受けられないと判断された場合（Ｓ１０６：ＮＯ）に移行するＳ１１０では、施設Ｘのクーポンを地元エリアで利用できるか否かを判断する。本実施形態では、Ｓ１０７と同様、Ｓ１０４で特定された地元エリアとおよび施設Ｘに関連付けられている有効エリア情報とに基づき、でクーポンを地元エリアで利用できるか否かを判断する。施設Ｘのクーポンを地元エリアで利用できないと判断された場合（Ｓ１１０：ＮＯ）、Ｓ１１２へ移行する。施設Ｘのクーポンを地元エリアで利用できると判断された場合（Ｓ１１０：ＹＥＳ）、Ｓ１１１へ移行する。
【００３４】
Ｓ１１１では、施設ＸをグループＣに分類する。
Ｓ１１２では、施設ＸをグループＤに分類する。
施設Ｘにて利用可能なクーポンがないと判断された場合（Ｓ１０５：ＮＯ）に移行するＳ１１３では、施設ＸをグループＥに分類する。
【００３５】
Ｓ１０２で作成されたリスト中の全ての施設についてＳ１０５〜Ｓ１１３の処理が行われ、検索施設リスト中の全ての施設がグループＡ〜グループＥのいずれかに分類された後に移行するＳ１１４では、分類されたグループに基づき、Ｓ１０１にて検索された施設をソートし、ディスプレイ６１にリスト表示する。本実施形態では、グループＡの優先度が最も高く、次いでグループＢ、グループＣ、グループＤと続き、グループＥの優先度が最も低いものとし、当該優先度に基づいてリスト表示する。なお、同一のグループに複数の施設が含まれる場合、車両の現在位置からの距離が近い順にリスト表示するものとする。
【００３６】
Ｓ１１５では、Ｓ１１４にてディスプレイ６１に表示されたリストの中から、操作スイッチ群４０を介してユーザにより施設が選択されると、選択された施設を目的地として設定し、本処理を終了する。なお、本処理とは別の処理において、設定された目的地への経路が探索され、当該目的地への経路案内が行われる。
【００３７】
ここで、図２〜４に基づき、分類処理の具体例を説明する。車両の現在位置が東京都内であるものとする。また、愛知県内の地点が、ユーザの自宅として登録されているものとする。さらにまた、図２に示す施設Ｇ、Ｈ、Ｊ、Ｋ、Ｌ、Ｐ、Ｑは、いずれも飲食店であり、施設Ｇ、Ｈ、Ｊ、Ｋ、Ｌは東京都内にある施設であって車両の現在位置から所定の範囲内にあるものとする。一方、施設Ｐ、Ｑは、車両の現在位置から所定の範囲内にないものとする。
【００３８】
ユーザにより操作スイッチ群４０が操作され、種別「飲食店」が入力されると、該当する施設を検索する（Ｓ１０１）。この例では、車両の現在位置から所定の範囲内にある施設である施設Ｇ、Ｈ、Ｊ、Ｋ、Ｌが検索される。また、検索された施設のリストを作成し、特典情報記憶部８０に記憶する。なお、施設Ｐ、Ｑは、車両の現在位置から所定範囲内にないので、Ｓ１０１にて検索されず、したがって、Ｓ１０２にて作成されるリストには含まれない。
【００３９】
また、施設Ｇ、Ｈ、Ｊ、Ｋ、Ｌに関する特典情報を特典情報データベースから取得し、作成されたリストに特典情報を付加する（Ｓ１０３）。さらにまた、ユーザの地元エリアを特定する。この例では、愛知県内の地点がユーザの自宅として登録されているので、「愛知県」を地元エリアとして特定する（Ｓ１０４）。
【００４０】
続いて、作成されたリストに含まれる施設Ｇ、Ｈ、Ｊ、Ｋ、Ｌについて、分類処理を行う（Ｓ１０５〜Ｓ１１３）。
施設Ｇには利用可能なクーポンがあり（Ｓ１０５：ＹＥＳ）、訪問時にすぐに特典を受けることができる（Ｓ１０６：ＹＥＳ）。また、施設Ｇのクーポンは、地元エリアである愛知県で利用可能であるので（Ｓ１０７：ＹＥＳ）、施設ＧをグループＡに分類する（Ｓ１０８）。
【００４１】
施設Ｈには利用可能なクーポンがあるが（Ｓ１０５：ＹＥＳ）、訪問時にすぐに特典を受けることができない（Ｓ１０６：ＮＯ）。ただし、当該クーポンは、地元エリアである愛知県で利用可能であるので（Ｓ１１０：ＹＥＳ）、施設ＨをグループＣに分類する（Ｓ１１１）。
施設Ｊには、利用可能なクーポンがないので（Ｓ１０５：ＮＯ）、施設ＪをグループＥに分類する（Ｓ１１３）。
【００４２】
施設Ｋにはクーポンがあるが（Ｓ１０５：ＹＥＳ）、訪問時にすぐに特典を受けることができない（Ｓ１０６：ＮＯ）。また、施設Ｋのクーポンは、地元エリアである愛知県で利用できないので（Ｓ１１０：ＮＯ）、施設ＫをグループＤに分類する（Ｓ１１２）。なお、例えばユーザが東京または神奈川に訪れる頻度が低い場合、施設Ｄのクーポンをもらったとしても、当該クーポンを利用できない可能性がある。
【００４３】
施設Ｌにはクーポンがあり（Ｓ１０５：ＹＥＳ）、訪問時にすぐに特典を受けることができる（Ｓ１０６：ＹＥＳ）。ただし、施設Ｌのクーポンは、地元エリアである愛知県では利用できないので（Ｓ１０７：ＮＯ）、施設ＬをグループＢに分類する（Ｓ１０９）。
【００４４】
すなわち、グループＡに施設Ｇが分類され、グループＢに施設Ｌが分類され、グループＣに施設Ｈが分類され、グループＤに施設Ｋが分類され、グループＥに施設Ｊが分類される。そして、ディスプレイ６１には、図４に示すように、施設Ｇ、施設Ｌ、施設Ｈ、施設Ｋ、施設Ｊの順にソートされたリストが表示される（Ｓ１１４）。なお、ディスプレイ６１には、グループＡ〜グループＤに分類された施設Ｇ、Ｌ、Ｈ、Ｋに対し、クーポンがあることを示すアイコン（図４中にて記号Ｒで示す。）が表示される。また、グループＡおよびグループＢに分類された施設Ｇ、Ｌに対し、クーポンを利用することによりすぐに特典を受けられることを示すアイコン（図４中にて記号Ｓで示す。）が表示される。さらにまた、グループＡおよびグループＣに分類された施設Ｇ、Ｈに対し、地元エリアで利用できるクーポンがあることを示すアイコン（図４中に記号Ｔで示す。）が表示される。
【００４５】
以上詳述したように、車載器１は、施設を検索し（Ｓ１０１）、検索された施設にてユーザが受けられる特典に関する特典情報を取得する（Ｓ１０３）。また、ユーザの地元エリアに関する地元エリア情報を取得する（Ｓ１０４）。そして、特典情報および地元エリア情報に基づき、検索された施設を分類し（Ｓ１０８、Ｓ１０９、Ｓ１１１〜Ｓ１１３）、分類結果を出力する（Ｓ１１４）。本実施形態では、分類結果を施設に対応付けて、検索された施設をリスト表示する。地元エリアはユーザ毎に異なっているが、ユーザの地元エリアで特典を受けられるかを考慮し、検索された施設を適切に分類して出力するので、ユーザがより有益な特典を受けられる施設を案内することができる。また、ユーザが検索された施設を選択する際の一助とすることができる。
【００４６】
特典情報および地元エリア情報に基づき、地元エリアにて特典を受けられるか否かを検索された施設ごとに特定し（Ｓ１０７、Ｓ１１０）、地元エリアにて特典を受けられると特定された施設を地元利用可能グループに分類する（Ｓ１０８、Ｓ１１１）。これにより、地元エリアにて特典を受けられる施設を適切に分類して出力するので、ユーザがより有益な特典を受けられる施設を案内することができ、ユーザが検索された施設を選択する際の一助とすることができる。
【００４７】
また、施設を訪問時に特典が受けられるか否かを検索された施設ごとに特定し（Ｓ１０６）、訪問時に特典を受けられると特定された施設を即時利用可能グループに分類する（Ｓ１０８、Ｓ１０９）。これにより、訪問時に特典を受けられる施設を適切に分類して出力するので、ユーザがより有益な特典を受けられる施設を案内することができ、ユーザが検索された施設を選択する際の一助とすることができる。
【００４８】
また本実施形態では、即時利用可能グループまたは地元利用可能グループに分類された施設を他の施設よりも優先度を高くして分類結果を出力している。また、即時利用可能グループ、地元利用可能グループの順に優先度を設定している。さらに、即時利用可能グループに分類された施設のうち、地元利用可能グループにも分類された施設の優先度を最も高く設定している（Ｓ１１４）。これにより、ユーザが比較的特典を利用しやすい施設の優先度を高めて出力することができるので、利便性が向上する。
【００４９】
なお、本実施形態では、制御部１０が「施設検索手段」、「特典情報取得手段」、「地元エリア情報取得手段」、「分類手段」、「出力手段」、「地元利用可否特定手段」、「即時利用可否特定手段」を構成する。
【００５０】
また、図３中のＳ１０１が「施設検索手段」の機能としての処理に相当し、Ｓ１０３が「特典情報取得手段」の機能としての処理に相当し、Ｓ１０４が「地元エリア情報取得手段」の機能としての処理に相当し、Ｓ１０８、Ｓ１０９、Ｓ１１１〜Ｓ１１３が「分類手段」の機能としての処理に相当し、Ｓ１１４が「出力手段」の機能としての処理に相当する。また、Ｓ１０７およびＳ１１０が「地元利用可否特定手段」の機能としての処理に相当し、Ｓ１０６が「即時利用可否特定手段」の機能としての処理に相当する。
【００５１】
さらにまた、本実施形態では、特典がある施設を有特典グループとし、特典がない施設を無特典グループとすると、グループＡ〜Ｄが「有特典グループ」に対応し、グループＥが「無特典グループ」に対応する。また、グループＡおよびグループＣが「地元利用可能グループ」に対応し、グループＡおよびグループＢが「即時利用可能グループ」に対応する。なお、グループＡに分類された施設は、「即時利用可能グループ」および「地元利用可能グループ」の双方に分類されているといえる。また、有特典グループの中に、「即時利用可能グループ」および「地元利用可能グループ」が含まれている、といえる。
【００５２】
以上、本発明は、上記実施形態になんら限定されるものではなく、発明の趣旨を逸脱しない範囲において種々の形態で実施可能である。
（ア）施設検索手段
上記実施形態では、車両の現在位置に関する現在位置情報に基づき、車両の現在位置のから所定の範囲内にある施設を検索した。変形例では、例えば目的地が設定されている場合、目的地の位置情報に基づき、目的地から所定の範囲内にある施設を検索してもよい。
【００５３】
（イ）地元エリア、特典の有効エリア
上記実施形態では、自宅として登録された地点が含まれる都道府県を「地元エリア」として特定した。変形例では、都道府県よりも小さい行政区画、例えば市町村、に基づいて地元エリアを特定してもよいし、自宅として登録された地点を中心とする所定範囲内、例えば半径１０ｋｍ以内、としてもよい。また、走行履歴を取得し、取得された走行履歴に基づいて地元エリアを特定してもよい。具体的には、所定回数以上走行した道路を含む所定のエリア、例えば矩形のエリア、を地元エリアとしてもよい。
【００５４】
また、上記実施形態では、クーポンを利用可能な有効エリアは、都道府県単位で特定されていた。変形例では、都道府県よりも小さい行政区画、例えば市町村、に基づいて特定してもよい。クーポンを利用可能な有効エリアが所定の領域として特定されている場合、当該有効エリアと地元エリアとの少なくとも一部が一致するか否かを判断することにより、地元で利用可能か否かを判断してもよい。
【００５５】
また、クーポンを利用できる施設の位置座標が、図２に示す「有効エリア情報」として記憶されているように構成してもよい。この場合、有効エリア情報として記憶されているクーポンを利用できる施設の位置座標が地元エリアに含まれる場合、当該クーポンを地元エリアで利用可能であるとしてもよい。
【００５６】
（ウ）出力手段
上記実施形態では、同一のグループに複数の施設が含まれる場合、車両の現在位置からの距離が近い順にリスト表示した。変形例では、距離順に替えて、有効期限情報に基づいて有効期限が長い順に表示してもよいし、サービス情報に基づいて割引率が高い順に表示してもよい。
【００５７】
また、上記実施形態では、グループ毎に特定された優先度に基づくリストをディスプレイ６１に表示したが、これに替えて、例えば優先度に基づき、地図上において優先度の高い施設ほど大きなアイコンで表示したりしてもよい。また、クーポンをすぐに利用できる施設であることを示すアイコンや、地元で利用可能なクーポンがあることを示すアイコンとともに地図上に表示するようにしてもよい。
さらにまた、出力手段は、上述のように施設に対応付けて分類結果を出力する他、例えば「検索された施設１０件、クーポンをすぐに利用できる施設４件、クーポンを地元で利用できる施設３件」といった具合に、分類結果を件数で出力するように構成してもよい。
【００５８】
（エ）優先度の設定
上記実施形態では、グループＡ、Ｂ、Ｃ、Ｄ、Ｅの順に優先度を設定した。ところで例えば、ユーザによっては、旅行先ではその土地ならではの施設を訪問したいと所望する場合も考えられる。このような場合には、地元で利用可能なクーポンがある施設は地元でも利用可能であるので、グループＡおよびグループＣの優先度を下げる、といった具合に、グループの優先度は、適宜設定可能である。
【００５９】
（オ）特典の種類
上記実施形態では、特典として、クーポンを利用することにより受けられる割引等のサービスを例に説明したが、特典はクーポンに限らず、例えばポイントカードのように、施設の利用に応じてポイントが貯まるものであってもよい。例えば、ユーザが所持しているポイントカードに関する情報を特典情報記憶部８０に予め記憶しておき、ユーザが該当する施設で利用可能なポイントカードを所持している場合は、ユーザの地元エリアで利用できる蓋然性が高い。そこで、当該施設で利用できるポイントカードを所持している場合、図３中のＳ１０７およびＳ１１０にて肯定判断するように構成してもよい。
【００６０】
また、ポイントカードには、例えば１ポイントにつき１円の値引きというタイプのカードと、所定のポイント数が貯まったときに所定のサービスが受けられるタイプのカード（例えば、貯まったポイントに応じて景品等を受け取るもの）とがある。そこで、特典がポイントカードである場合、該当する施設で利用できるポイントカードが値引きタイプのポイントカードである場合、上記実施形態における「すぐに特典を受けられるクーポン」であるものとしてＳ１０６において肯定判断し、貯まったポイント数に応じたサービスが受けられるタイプのポイントカードである場合、上記実施形態における「すぐに特典を受けられないクーポン」であるものとしてＳ１０６において否定判断するように構成してもよい。
【００６１】
（カ）施設検索装置
上記実施形態では、施設検索装置の一例として車載器について説明した。施設検索装置は、携帯電話に代表される携帯端末であってもよい。また、車載器や携帯端末と情報通信を行う情報センタ内の装置を施設検索装置としてもよい。
【符号の説明】
【００６２】
１・・・車載器（施設検索装置）、
１０・・・制御部（施設検索手段、特典情報取得手段、地元エリア情報取得手段、分類手段、出力手段、地元利用可否特定手段、即時利用可否特定手段）、
２０・・・位置検出器、
２１・・・地磁気センサ、
２２・・・ジャイロスコープ、
２３・・・距離センサ、
２４・・・ＧＰＳ受信機、
３０・・・地図情報記憶部、
４０・・・操作スイッチ群、
６０・・・描画部、
６１・・・ディスプレイ、
７０・・・音声出力部、
７１・・・スピーカ、
８０・・・特典情報記憶部
【図１】
2011210096.tif 000003
【図２】
2011210096.tif 000004
【図３】
2011210096.tif 000005
【図４】
2011210096.tif 000006